(57)【要約】【課題】ディジタルデータを変換して生成された変化パターンに基づいて照明負荷の光出力が制御される照明光伝送システムにおいて、部品の破損や寿命の短縮が引き起こされることを防止する。【解決手段】照明光伝送システムは、位置情報等の送信信号をディジタルデータとして生成する信号源と、ディジタルデータを照明負荷の光出力の変化パターンに変換する制御回路と、変化パターンに基づいて照明負荷の光出力（周波数）を増減制御する点灯回路を備える。変化パターンに、照明負荷の光出力値が漸増する部分を有し、点灯回路は、変化パターンに基づいて照明負荷の光出力を、比較的低い周波数ｆ１から比較的高い周波数ｆ２へと漸増する（例えば、第２の区間ｓ２と第３の区間ｓ３）。照明負荷の光出力が急激に変動する区間が少なくなるので、点灯回路に過大な電流や電圧が生じることが防止され、部品の破損や寿命の短縮が引き起こされることが防止される。【選択図】図４
2008187273.tif 000002
【特許請求の範囲】
【請求項１】
光出力が可変である照明負荷と、
送信信号をディジタルデータとして生成する信号源と、
前記信号源が生成するディジタルデータを前記照明負荷の光出力の変化パターンに変換する制御回路と、
前記制御回路が変換した変化パターンに基づいて前記照明負荷の光出力を制御する点灯回路と、
前記照明負荷の光出力を受信して信号を復調する受信端末と、を備え、前記照明負荷の光出力を増減することによって前記受信端末へ信号を送信する照明光伝送システムにおいて、
前記変化パターンに、前記照明負荷の光出力値が漸増、又は漸減する部分を有し、
前記点灯回路は、前記制御回路が変換した変化パターンに基づいて前記照明負荷の光出力を、異なる２つの出力値の間で漸増、又は漸減することを特徴とする照明光伝送システム。
【請求項２】
前記変化パターンの１単位区間における前記照明負荷の光出力の平均値が、全ての変化パターンにおいて同等であることを特徴とする請求項１に記載の照明光伝送システム。
【発明の詳細な説明】
【技術分野】
【０００１】
本発明は、照明負荷から出射する光に光出力の増減としてディジタルデータを重畳することによって受信端末へ信号を伝送する照明光伝送システムに関する。
【背景技術】
【０００２】
従来から、蛍光灯等の照明器具から出力される光を送信すべきデータに基づいてＦＳＫ（Ｆｒｅｑｕｅｎｃｙ  Ｓｈｉｆｔ  Ｋｅｙｉｎｇ）方式によって変調し、受信器側において復調することによってデータを伝送する照明光によるデータ伝送システムが知られている（例えば、特許文献１参照）。
【０００３】
ところが、特許文献１に記載されたようなデータ伝送方式では、送信するデータの中に「１」又は「０」が偏在する部分がある場合には、照明器具からの光の出力（周波数）が切替わるタイミングが人間の目によってちらつきとして認識されるという問題があった。
【０００４】
そこで、上記問題を解決するために送信すべきデータをマンチェスター符号を用いて「１」と「０」の発生確率が等しいデータに変換した上で変調する伝送システム（例えば、特許文献２参照）や、人間の目が明暗の切替わりを認識可能な周波数よりも高い周波数で送信信号を送信する伝送システム（例えば、特許文献３参照）が開発されている。
【特許文献１】特開昭６０−３２４４３号公報
【特許文献２】特表２００２−５１１７２７号公報
【特許文献３】特開２００６−２３７８６９号公報
【発明の開示】
【発明が解決しようとする課題】
【０００５】
ところが、上記のいずれの伝送システムでも、ＦＳＫ方式によって変調される光出力は、送信すべきデータの値が切替わるときに周波数が急激に切替えられるので、照明器具に内蔵された蛍光灯等の照明負荷の周波数を制御するためのＬＣ共振回路を有するインバータ回路（点灯回路）に過大な電流や電圧が発生し、最大定格以上の電圧・電流ストレスがかかって部品の破損や寿命の短縮が生じる虞がある。
【０００６】
また、点灯回路を流れる電流や電圧の急激な変化によって不要輻射ノイズや電源帰還ノイズが発生したり、チョークコイルに異音が発生するトラブルに繋がる虞がある。
【０００７】
そこで、本発明は、信号源が生成するディジタルデータを照明負荷の光出力の変化パターンに変換し、その変化パターンに基づいて点灯回路が照明負荷の光出力を制御する照明光伝送システムにおいて、点灯回路に過大な電流や電圧が生じて部品の破損や寿命の短縮が引き起こされることを防止することができる照明光伝送システムを提供することを目的とする。
【課題を解決するための手段】
【０００８】
上記目的を達成するために、請求項１の発明は、光出力が可変である照明負荷と、送信信号をディジタルデータとして生成する信号源と、前記信号源が生成するディジタルデータを前記照明負荷の光出力の変化パターンに変換する制御回路と、前記制御回路が変換した変化パターンに基づいて前記照明負荷の光出力を制御する点灯回路と、前記照明負荷の光出力を受信して信号を復調する受信端末と、を備え、前記照明負荷の光出力を増減することによって前記受信端末へ信号を送信する照明光伝送システムにおいて、前記変化パターンに、前記照明負荷の光出力値が漸増、又は漸減する部分を有し、前記点灯回路は、前記制御回路が変換した変化パターンに基づいて前記照明負荷の光出力を、異なる２つの出力値の間で漸増、又は漸減することを特徴とする。
【０００９】
請求項２の発明は、請求項１の照明光伝送システムにおいて、前記変化パターンの１単位区間における前記照明負荷の光出力の平均値が、全ての変化パターンにおいて同等であることを特徴とする。
【発明の効果】
【００１０】
請求項１の発明によれば、制御回路がディジタルデータから変換して生成する光出力の変化パターンに照明負荷の光出力値が漸増、又は漸減する部分を有し、点灯回路が、該変化パターンに基づいて照明負荷の光出力を、異なる２つの出力値の間で漸増、又は漸減するので点灯回路に過大な電流や電圧が生じて部品の破損や寿命の短縮が引き起こされることを防止することができる。
【００１１】
請求項２の発明によれば、請求項１の発明の効果に加えて、照明負荷の光出力の平均値が全ての変化パターンにおいて同等であるので、照明が人間の目にちらつきとなって見えることを防止できる。
【発明を実施するための最良の形態】
【００１２】
以下、本発明の一実施形態に係る照明光伝送システムについて、図１乃至図７を参照して説明する。本実施形態の照明光伝送システム１は、図１に示されるように、商用電源２によって電源を供給されて点灯する照明器具３と、照明器具３からの光を受光して光に重畳された位置情報等のデータを検出して液晶パネル等の表示装置４に表示する受信端末５とを備える。
【００１３】
例えば、照明器具３が建物内の複数個所に設置され、各照明器具３から出射される光に照明器具３の設置された場所を示す位置情報が重畳され、ユーザは、受信端末５を持って建物内を移動するときに受信端末５の表示装置４に表示される位置情報（階の区別、場所の区別等）を見てユーザ自身の現在位置を確認する。
【００１４】
次に、照明器具３について、図２及び図３を参照して説明する。本実施形態の照明器具３は、出力周波数が可変である放電灯（照明負荷）６と、送信信号（階、場所等の位置情報信号）をディジタルデータとして生成するマイクロコンピュータから構成される信号源７と、信号源７が生成するディジタルデータを放電灯６の出力周波数の変化パターンに変換するマイクロコンピュータから構成される制御回路８と、制御回路８が変換した変化パターンに基づいて放電灯６の出力周波数を制御する点灯回路９と、点灯回路９に電源を供給する直流電源回路１１とを備える。信号源７を構成するマイクロコンピュータと制御回路８を構成するマイクロコンピュータは、共通のものであってもよい。
【００１５】
点灯回路９と直流電源回路１１について、図３を参照してさらに説明する。直流電源回路１１は、ダイオードブリッジＤＢと、コンデンサＣ１とから構成され、点灯回路９は、ダイオードブリッジＤＢの２次側に接続されたスイッチング素子Ｑ１、Ｑ２と、スイッチング素子Ｑ１、Ｑ２の各ゲートに接続され制御回路８から出力される変化パターンに基づいてスイッチング素子Ｑ１、Ｑ２のオンオフ周波数を制御する発振回路１２と、共振チョークＬ１と、直列カットコンデンサＣ２と、共振コンデンサＣ３とを備える。
【００１６】
発振回路１２は、スイッチング素子Ｑ１、Ｑ２を、制御回路８から出力される変化パターンに基づいて２つの周波数ｆ１、ｆ２間に亘って連続的に切替えて制御する。例えば、いま、信号源７から出力されたディジタルデータが「１００１１」であり、そのディジタルデータを変換して制御回路８から出力される変化パターンが図４に示される形状である場合について説明する。
【００１７】
第１区間ｓ１はディジタルデータの「１」を表す矩形であり、スイッチング素子Ｑ１、Ｑ２が比較的高い周波数ｆ２に切替えられて放電灯６が周波数ｆ２の光出力で継続して点灯し、第２区間ｓ２はディジタルデータの「０」を表す三角形であり、スイッチング素子Ｑ１、Ｑ２が比較的低い周波数ｆ１から中間の周波数ｆ３を経て周波数ｆ２に連続的に切替えられて放電灯６の光出力が比較的低い周波数ｆ１から中間の周波数ｆ３を経て比較的高い周波数ｆ２に連続的に変化する。
【００１８】
以下、同様に、ディジタルデータの「０」を表す第３区間ｓ３では放電灯６の光出力が比較的低い周波数ｆ１から中間の周波数ｆ３を経て比較的高い周波数ｆ２に連続的に変化され、ディジタルデータの「１」を表す第４、第５区間ｓ４、ｓ５では、放電灯６が周波数ｆ２の光出力で継続して点灯される。
【００１９】
上記のように、制御回路８は、信号源７が出力するディジタルデータ（例えば、「１００１１」）を、制御回路８自体のＲＯＭ（不図示）内に記憶する所定のプログラムに基づいて矩形、又は三角形等の変化パターンに変換する。ディジタルデータに対する変化パターンの形状は、ＲＯＭ内に記憶するプログラムを変更することによって種々に変更可能であり、変化パターンの変形例については後述する。
【００２０】
次に、受信端末５について、図５乃至図７を参照して説明する。本実施形態の受信端末５は、図５に示されるように、照明器具３からの光を受光して光出力を電圧に変換する光電変換部１３と、光電変換部１３によって生成された電圧を増幅する増幅回路１４と、増幅回路１４によって増幅された電圧を復調して２値化する復調回路１５と、復調回路１５によって生成された２値（ディジタル値）を所定のプログラムに基づいて処理して具体的な情報（階、場所等の情報）にするマイクロコンピュータから構成されたデータ処理回路１６と、表示装置４とを備える。
【００２１】
光電変換部１３と復調回路１５について、図６を参照してさらに具体的に説明する。光電変換部１３は、光学フィルタ１７と、フォトダイオードＰＤと、Ｉ／Ｖ変換回路１８とを備え、復調回路１５は、中心周波数が周波数ｆ３である広域のバンドパスフィルタ２１と、中心周波数が周波数ｆ２である狭域のバンドパスフィルタ２２と、両バンドパスフィルタ２１、２２で検波された出力に基づいて比較的高い周波数については「１」を出力し、比較的低い周波数については「０」を出力するコンパレータ２３を備える。コンパレータ２３から出力されるディジタル値がデータ処理回路１６によって処理される。
【００２２】
広域バンドパスフィルタ２１の出力特性ｆ２１、及び狭域バンドパスフィルタ２２の出力特性ｆ２２が、それぞれ図７に示される。広域バンドパスフィルタ２１は、検波の支障となるノイズ成分を除去する。
【００２３】
いま、照明器具３の放電灯６が図４に示された変化パターンに基づいて光出力（周波数）を変化されているとき、受信端末５の復調回路１５は、第１区間ｓ１について継続して周波数ｆ２を検出するので「１」を出力し、第２区間ｓ２について周波数ｆ１からｆ３へと変化する周波数を検出するので「０」を出力し、以後第３区間ｓ３、第４区間ｓ４、第５区間ｓ５についても同様にして、それぞれ「０」「１」「１」を出力する。これらの出力「１」「０」「０」「１」「１」がデータ処理回路１６によって具体的な位置情報に変換される。
【００２４】
以上のように、本実施形態の照明光伝送システム１は、照明器具３の制御回路８がディジタルデータを変換して生成する変化パターンに、放電灯６の光出力値が漸増する部分（周波数ｆ１から周波数ｆ３を経て周波数ｆ２へ変化する部分）を有し、点灯回路９は、光出力値が漸増する部分を有する変化パターンに基づいて放電灯６の光出力（周波数）を制御するので、点灯回路９に過大な電流や電圧が生じることが抑制され、部品の破損や寿命の短縮が引き起こされることが防止される。
【００２５】
次に、制御回路８がディジタルデータを変換して生成する変化パターンの変形例について、図８乃至図１８を参照して説明する。
【００２６】
ディジタルデータの「１」に対する変化パターンが周波数ｆ１を継続するフラットなラインであり、ディジタルデータの「０」に対する変化パターンが周波数ｆ１からｆ３を経てｆ２に漸増する三角形である変化パターンが図８に示される。
【００２７】
この図８に示される変化パターンにおいても、放電灯６の光出力が漸増するように制御されるので、点灯回路９に過大な電流や電圧が生じることが抑制され、部品の破損や寿命の短縮が引き起こされることが防止され、図４に示される変化パターンに比べて周波数がｆ１からｆ２に急増する区間、及びｆ２からｆ１に急減する区間が少ないので、部品の破損や寿命の短縮が引き起こされることを防止する効果が高い。
【００２８】
次に、ディジタルデータの「１」に対する変化パターンは周波数がｆ２からｆ３を経てｆ１に漸減する三角形であり、ディジタルデータの「０」に対する変化パターンは周波数がｆ１からｆ３を経てｆ２に漸増する三角形である変化パターンが図９に示される。
【００２９】
この図９に示される変化パターンにおいても、放電灯６の光出力が漸増、漸減するように制御されるので、点灯回路９に過大な電流や電圧が生じることが抑制され、部品の破損や寿命の短縮が引き起こされることが防止される。
【００３０】
また、図９に示される変化パターンにおいては、変化パターンの各区間ｓ１、ｓ２、・・における周波数の平均値が、全ての区間において周波数ｆ３に同等になるので、ディジタルデータの「１」又は「０」が偏って連続する場合であっても、放電灯６からの光が人間の目にちらつきとなって見えることが防止される。
【００３１】
次に、ディジタルデータの「１」に対する変化パターンは周波数がｆ２からｆ３を経てｆ１に漸減する円弧状であり、ディジタルデータの「０」に対する変化パターンは周波数がｆ１からｆ３を経てｆ２に漸増する円弧状である変化パターンが図１０に示される。
【００３２】
この図１０に示される変化パターンにおいても、放電灯６の光出力が漸増、漸減するように制御されるので、点灯回路９に過大な電流や電圧が生じることが抑制され、部品の破損や寿命の短縮が引き起こされることが防止され、変化パターンの各区間ｓ１、ｓ２、・・における周波数の平均値が、全ての区間において同等になるので、ディジタルデータの「１」又は「０」が偏って連続する場合であっても、放電灯６からの光が人間の目にちらつきとなって見えることが防止される。
【００３３】
次に、ディジタルデータの「１」に対する変化パターンは周波数がｆ１からｆ３を経てｆ２に漸増する三角形であり、ディジタルデータの「０」に対する変化パターンは周波数が１区間内でｆ１からｆ２を経てｆ１に増減する二等辺三角形である変化パターンが図１１に示される。
【００３４】
この図１１に示される変化パターンにおいても、放電灯６の光出力が漸増、漸減するように制御されるので、点灯回路９に過大な電流や電圧が生じることが抑制され、部品の破損や寿命の短縮が引き起こされることが防止され、変化パターンの各区間ｓ１、ｓ２、・・における周波数の平均値が、全ての区間において周波数ｆ３になるので、ディジタルデータの「１」又は「０」が偏って連続する場合であっても、放電灯６からの光が人間の目にちらつきとなって見えることが防止される。
【００３５】
次に、ディジタルデータの「１」に対する変化パターンは、周波数がｆ１からｆ２に漸増、又はｆ２からｆ１に漸減する傾斜ラインであり、ディジタルデータの「０」に対する変化パターンは、周波数が１区間内でｆ１からｆ２を経てｆ１に増減する二等辺三角形、又はｆ２からｆ１を経てｆ２に減増する倒立した二等辺三角形である変化パターンが図１２に示される。
【００３６】
この図１２に示される変化パターンにおいては、各区間ｓ１、ｓ２、・・の変化パターンは、当該区間の前の区間における最後の光出力値が維持するように選択される。
【００３７】
具体的には、前の区間の最後の光出力値が周波数ｆ１である場合には、当該区間のディジタルデータ「１」に対する変化パターンは、周波数がｆ１からｆ２に漸増する傾斜ラインが選択され（例えば、図１２の区間ｓ１）、ディジタルデータ「０」に対する変化パターンは、周波数が１区間内でｆ１からｆ２を経てｆ１に増減する二等辺三角形が選択される（例えば、図１２の区間ｓ７）。
【００３８】
前の区間の最後の光出力値が周波数ｆ２である場合には、当該区間のディジタルデータ「１」に対する変化パターンは、周波数がｆ２からｆ１に漸減する傾斜ラインが選択され（例えば、図１２の区間ｓ４）、ディジタルデータ「０」に対する変化パターンは、周波数が１区間内でｆ２からｆ１を経てｆ２に減増する倒立した二等辺三角形が選択される（例えば、図１２の区間ｓ２）。
【００３９】
この図１２に示される変化パターンにおいても、放電灯６の光出力が漸増、漸減するように制御されるので、点灯回路９に過大な電流や電圧が生じることが抑制され、部品の破損や寿命の短縮が引き起こされることが防止され、変化パターンの各区間ｓ１、ｓ２、・・における周波数の平均値が、全ての区間において周波数ｆ３になるので、ディジタルデータの「１」又は「０」が偏って連続する場合であっても、放電灯６からの光が人間の目にちらつきとなって見えることが防止される。
【００４０】
また、この図１２に示される変化パターンにおいては、周波数がｆ１からｆ２に急増する区間、及びｆ２からｆ１に急減する区間がないので、部品の破損や寿命の短縮が引き起こされることを防止する効果が高い。
【００４１】
次に、ディジタルデータの「１」に対する変化パターンは、周波数が１区間内でｆ３からｆ２を経てｆ３に増減する三角形であり、ディジタルデータの「０」に対する変化パターンは、周波数が１区間内でｆ３からｆ１を経てｆ３に減増する倒立した三角形である変化パターンが図１３に示される。
【００４２】
この図１３に示される変化パターンにおいても、放電灯６の光出力が漸増、漸減するように制御されるので、点灯回路９に過大な電流や電圧が生じることが抑制され、部品の破損や寿命の短縮が引き起こされることが防止され、周波数がｆ１からｆ２に急増する区間、及びｆ２からｆ１に急減する区間がないので、部品の破損や寿命の短縮が引き起こされることを防止する効果が高い。
【００４３】
次に、ディジタルデータの「１」に対する変化パターンは、周波数がｆ１からｆ２に漸増、又はｆ２からｆ１に漸減する傾斜ラインであり、ディジタルデータの「０」に対する変化パターンは、周波数がｆ３を継続するラインである変化パターンが図１４に示される。
【００４４】
この図１４に示される変化パターンにおいては、ディジタルデータが「１」である区間の変化パターンは、当該区間の前の区間における最後の光出力値がｆ１である場合には、周波数がｆ１からｆ２に漸増する傾斜ラインが選択され（例えば、図１４の区間ｓ４）、当該区間の前の区間における最後の光出力値がｆ２、又はｆ３である場合には、周波数がｆ２からｆ１に漸減する傾斜ラインが選択される（例えば、図１４の区間ｓ３）。
【００４５】
この図１４に示される変化パターンにおいても、放電灯６の光出力が漸増、漸減するように制御されるので、点灯回路９に過大な電流や電圧が生じることが抑制され、部品の破損や寿命の短縮が引き起こされることが防止され、変化パターンの各区間ｓ１、ｓ２、・・における周波数の平均値が、全ての区間において周波数ｆ３になるので、ディジタルデータの「１」又は「０」が偏って連続する場合であっても、放電灯６からの光が人間の目にちらつきとなって見えることが防止される。
【００４６】
次に、ディジタルデータの２ビットに対して４種類の変化パターンが対応付けられる例について、図１５乃至図１８を参照して説明する。
【００４７】
ディジタルデータの「００」に対して周波数ｆ１が継続するフラットなラインが対応付けられ、ディジタルデータの「０１」に対して周波数ｆ２が継続するフラットなラインが対応付けられ、ディジタルデータの「１０」に対して周波数がｆ２からｆ３を経てｆ１に漸減する傾斜ラインが対応付けられ、ディジタルデータの「１１」に対して周波数がｆ１からｆ３を経てｆ２に漸増する傾斜ラインが対応付けられる変化パターンが図１５に示される。
【００４８】
この図１５に示される変化パターンにおいても、放電灯６の光出力が漸増、漸減するように制御されるので、点灯回路９に過大な電流や電圧が生じることが抑制され、部品の破損や寿命の短縮が引き起こされることが防止され、変化パターンの１区間にディジタルデータの２ビット分のデータが表されるので伝送効率が高い。
【００４９】
次に、ディジタルデータの「００」に対して変化パターンの１区間内で周波数がｆ１からｆ２に段階的に増加する形状が対応付けられ、ディジタルデータの「０１」に対して変化パターンの１区間内で周波数がｆ２からｆ１に段階的に減少する形状が対応付けられ、ディジタルデータの「１０」に対して周波数がｆ２からｆ３を経てｆ１に漸減する傾斜ラインが対応付けられ、ディジタルデータの「１１」に対して周波数がｆ１からｆ３を経てｆ２に漸増する傾斜ラインが対応付けられる変化パターンが図１６に示される。
【００５０】
この図１６に示される変化パターンにおいても、放電灯６の光出力が漸増、漸減するように制御されるので、点灯回路９に過大な電流や電圧が生じることが抑制され、部品の破損や寿命の短縮が引き起こされることが防止され、変化パターンの１区間にディジタルデータの２ビット分のデータが表されるので伝送効率が高い。また、変化パターンの各区間ｓ１、ｓ２、・・における周波数の平均値が、全ての区間において周波数ｆ３になるので、ディジタルデータの２ビットの４つの組合わせのいずれかが偏って連続する場合であっても、放電灯６からの光が人間の目にちらつきとなって見えることが防止される。
【００５１】
次に、ディジタルデータの「００」に対して周波数がｆ１からｆ３を経てｆ２に漸増する傾斜ラインが対応付けられ、ディジタルデータの「０１」に対して周波数がｆ２からｆ３を経てｆ１に漸減する傾斜ラインが対応付けられ、ディジタルデータの「１０」に対して周波数が１区間内でｆ１からｆ２を経てｆ１に増減する二等辺三角形が対応付けられ、ディジタルデータの「１１」に対して周波数が１区間内でｆ２からｆ１を経てｆ２に減増する倒立した二等辺三角形が対応付けられる変化パターンが図１７に示される。
【００５２】
この図１７に示される変化パターンにおいても、放電灯６の光出力が漸増、漸減するように制御されるので、点灯回路９に過大な電流や電圧が生じることが抑制され、部品の破損や寿命の短縮が引き起こされることが防止され、変化パターンの１区間にディジタルデータの２ビット分のデータが表されるので伝送効率が高く、変化パターンの各区間ｓ１、ｓ２、・・における周波数の平均値が、全ての区間において周波数ｆ３になるので、ディジタルデータの２ビットの４つの組合わせのいずれかが偏って連続する場合であっても、放電灯６からの光が人間の目にちらつきとなって見えることが防止される。
【００５３】
次に、ディジタルデータの「００」に対応する変化パターンは、周波数がｆ１を継続するフラットなラインであり、ディジタルデータの「０１」に対応する変化パターンは、周波数がｆ３を継続するフラットなラインであり、ディジタルデータの「１０」に対応する変化パターンは、周波数がｆ２からｆ３を経てｆ１に漸減する傾斜ラインであり、ディジタルデータの「１１」に対応する変化パターンは、周波数がｆ１からｆ３を経てｆ２に漸増する傾斜ラインである変化パターンが図１８に示される。
【００５４】
この図１８に示される変化パターンにおいても、放電灯６の光出力が漸増、漸減するように制御されるので、点灯回路９に過大な電流や電圧が生じることが抑制され、部品の破損や寿命の短縮が引き起こされることが防止され、変化パターンの１区間にディジタルデータの２ビット分のデータが重畳されるので伝送効率が高い。
【００５５】
なお、上記の実施形態では、受信端末５が、照明器具３からの光の出力（周波数）をバンドパスフィルタ２１、２２及びコンパレータ２３によってディジタルデータに復調するアナログ方式のものであったが、次に説明するディジタル方式のものであってもよい。
【００５６】
すなわち、受信端末５は、図１９に示されるように、光電変換部１３と、増幅回路１４と、増幅回路１４によって増幅されたアナログの電気量をディジタル値に変換するＡＤ変換部２４と、ＡＤ変換部２４によって変換されたディジタル値をディジタルデータに再生するマイクロコンピュータ２５から構成されてもよい。
【００５７】
さらに、上記の実施形態では、照明器具３の照明負荷６として放電灯を用いているが、放電灯に代えてＬＥＤであってもよい。
【図面の簡単な説明】
【００５８】
【図１】本発明の一実施形態に係る照明光伝送システムの概略構成を示す図。
【図２】同照明光伝送システムにおける照明器具の概略構成を示すブロック図。
【図３】同照明光伝送システムにおける照明器具の直流電源回路と点灯回路の回路図。
【図４】同照明光伝送システムにおける変化パターンの例を示す図。
【図５】同照明光伝送システムにおける受信端末の概略構成を示すブロック図。
【図６】同照明光伝送システムにおける受信端末の光電変換部と復調回路の機能ブロック図。
【図７】同照明光伝送システムにおける広域バンドパスフィルタと狭域バンドパスフィルタの特性を示す図。
【図８】同照明光伝送システムにおける変化パターンの他の例を示す図。
【図９】同照明光伝送システムにおける変化パターンの他の例を示す図。
【図１０】同照明光伝送システムにおける変化パターンの他の例を示す図。
【図１１】同照明光伝送システムにおける変化パターンの他の例を示す図。
【図１２】同照明光伝送システムにおける変化パターンの他の例を示す図。
【図１３】同照明光伝送システムにおける変化パターンの他の例を示す図。
【図１４】同照明光伝送システムにおける変化パターンの他の例を示す図。
【図１５】同照明光伝送システムにおける変化パターンの他の例を示す図。
【図１６】同照明光伝送システムにおける変化パターンの他の例を示す図。
【図１７】同照明光伝送システムにおける変化パターンの他の例を示す図。
【図１８】同照明光伝送システムにおける変化パターンの他の例を示す図。
【図１９】同照明光伝送システムにおける受信端末の他の例を示すブロック図。
【符号の説明】
【００５９】
１  照明光伝送システム
６  放電灯（照明負荷）
７  信号源
８  制御回路
９  点灯回路
ｆ１、ｆ２、ｆ３  周波数（出力値）
ｓ１、ｓ２  区間
【図１】
2008187273.tif 000003
【図２】
2008187273.tif 000004
【図３】
2008187273.tif 000005
【図４】
2008187273.tif 000006
【図５】
2008187273.tif 000007
【図６】
2008187273.tif 000008
【図７】
2008187273.tif 000009
【図８】
2008187273.tif 000010
【図９】
2008187273.tif 000011
【図１０】
2008187273.tif 000012
【図１１】
2008187273.tif 000013
【図１２】
2008187273.tif 000014
【図１３】
2008187273.tif 000015
【図１４】
2008187273.tif 000016
【図１５】
2008187273.tif 000017
【図１６】
2008187273.tif 000018
【図１７】
2008187273.tif 000019
【図１８】
2008187273.tif 000020
【図１９】
2008187273.tif 000021